(57)【要約】      （修正有）【課題】マルチキャリア信号のピーク抑圧を行う無線送信装置の回路規模を削減する技術を提供する。【解決手段】ピーク抑圧装置７は、エンベロープ取得部２２−１，２２−２と、加算部２３と、ピーク検出部２４と、ピーク抑圧部５とを有する。エンベロープ取得部２２−１，２２−２は、マルチキャリア信号に含まれるキャリア信号のそれぞれのエンベロープを取得する。加算部２３は、それぞれのエンベロープを加算して合成エンベロープを生成する。ピーク検出部２４は、合成エンベロープ用いてマルチキャリア信号のピーク値及びピークタイミングを検出する。ピーク抑圧部５は、検出されたピーク値及びピークタイミングに基づいて、マルチキャリア信号のピークを抑圧する。【選択図】図３
2016082549.tif 000002
【特許請求の範囲】
【請求項１】
マルチキャリア信号に含まれる複数のキャリア信号それぞれの複数のエンベロープを取得する取得部と、
前記複数のエンベロープを加算して合成エンベロープを生成する加算部と、
前記合成エンベロープを用いて前記マルチキャリア信号のピーク値及びピークタイミングを検出する検出部と、
前記ピーク値及び前記ピークタイミングに基づいて、前記マルチキャリア信号のピークを抑圧する抑圧部と、
を具備するピーク抑圧装置。
【請求項２】
前記抑圧部は、前記複数のエンベロープそれぞれにおける振幅値に比例した複数の抑圧量で前記複数のキャリア信号をそれぞれ抑圧して前記ピークを抑圧する、
請求項１に記載のピーク抑圧装置。
【発明の詳細な説明】
【技術分野】
【０００１】
本発明は、ピーク抑圧装置に関する。
【背景技術】
【０００２】
無線通信システムにおける無線送信装置には、送信信号の電力を増幅する増幅器（Power  Amplifier；以下では「ＰＡ」と呼ぶことがある）が備えられている。無線送信装置では、一般的に、ＰＡの電力効率を高めるために、ＰＡの飽和領域付近でＰＡを動作させる。
【０００３】
また、近年、周波数の利用効率を向上させるために、無線送信装置から送信される信号を、互いに異なる複数のキャリア周波数の信号を含む「マルチキャリア信号」とすることがある。以下では、マルチキャリア信号に含まれる各キャリア周波数の信号を「キャリア信号」と呼ぶことがある。つまり、マルチキャリア信号は、複数のキャリア信号を含む。マルチキャリア信号の一例として、ＯＦＤＭ（Orthogonal  Frequency  Division  Multiplexing）信号が挙げられる。
【０００４】
しかし、マルチキャリア信号は、ピーク電力対平均電力比（ＰＡＰＲ：Peak  to  Average  Power  Ratio）が高くなる傾向がある。このため、飽和領域付近で動作するＰＡにマルチキャリア信号が入力されると、ＰＡの非線形歪の影響により、ＰＡから出力される信号波形が歪んでしまう。
【０００５】
そこで、マルチキャリア信号を送信する無線送信装置では、ＰＡに入力されるマルチキャリア信号のピーク振幅（以下では、単に「ピーク」と呼ぶことがある）をＰＡの入力前に予め抑圧する「ピーク抑圧」が行われる。
【０００６】
ピーク抑圧の手法の一つとして、図１に示すように、マルチキャリア信号の振幅波形においてピークが生じるタイミング（以下では、「ピークタイミング」と呼ぶことがある）に合わせて、マルチキャリア信号に抑圧信号を加えるものがある。マイナスの加算量である減算量、つまり、抑圧量は、ピーク値と目標値との差分から求められる。また、送信信号と同じ周波数帯域内に信号成分を持つインパルス応答信号が抑圧信号として用いられる。これにより、マルチキャリア信号のピークが目標値まで抑圧されるため、ＰＡから出力される信号の線形性を維持できる。図１は、ピーク抑圧の一例を示す図である。
【先行技術文献】
【特許文献】
【０００７】
【特許文献１】特開２０１４−０２７３４３号公報
【特許文献２】国際公開第２０１０／０６１９１４号
【発明の概要】
【発明が解決しようとする課題】
【０００８】
ここで、マルチキャリア信号において互いに隣接する２つのキャリア間の間隔（以下では「キャリア間隔」と呼ぶことがある）が広くなると、図２に示すように、マルチキャリア信号の時間軸方向での細かな振幅変動が激しくなる。このため、キャリア間隔が広くなると、目標値を超えるピークが、短時間の範囲に複数個、例えば８個検出されることがある。図２は、課題の説明に供する図である。
【０００９】
これに対し、８個のピークのそれぞれに合わせてマルチキャリア信号にインパルス応答信号を加えたのでは、ピークが目標値より大きく低下する過剰なピーク抑圧となってしまう。よって、目標値を超えるピークが短時間の範囲に複数個検出された場合は、インパルス応答信号を加えるタイミングを、それらのピークに対応する複数のピークタイミングのうちの１つに決定することが好ましい。しかしながら、マルチキャリア信号の様々な振幅パターンに合わせて、複数のピークタイミングの中から、インパルス応答信号を加える最適な１つのタイミングを決定するには、処理が複雑になって無線送信装置の回路規模が大きくなってしまう。
【００１０】
開示の技術は、上記に鑑みてなされたものであって、マルチキャリア信号のピーク抑圧を行う無線送信装置の回路規模を削減することを目的とする。
【課題を解決するための手段】
【００１１】
開示の態様では、ピーク抑圧装置は、取得部と、加算部と、検出部と、抑圧部とを有する。前記取得部は、マルチキャリア信号に含まれる複数のキャリア信号それぞれの複数のエンベロープを取得する。前記加算部は、前記複数のエンベロープを加算して合成エンベロープを生成する。前記検出部は、前記合成エンベロープを用いて前記マルチキャリア信号のピーク値及びピークタイミングを検出する。前記抑圧部は、前記ピーク値及び前記ピークタイミングに基づいて、前記マルチキャリア信号のピークを抑圧する。
【発明の効果】
【００１２】
開示の態様によれば、マルチキャリア信号のピーク抑圧を行う無線送信装置の回路規模を削減することができる。
【図面の簡単な説明】
【００１３】
【図１】図１は、ピーク抑圧の一例を示す図である。
【図２】図２は、課題の説明に供する図である。
【図３】図３は、実施例１の無線送信装置の構成例を示すブロック図である。
【図４】図４は、実施例１のマルチキャリア信号の一例を示す図である。
【図５】図５は、実施例１の無線送信装置の動作の説明に供する図である。
【図６】図６は、実施例１の無線送信装置の処理の説明に供する図である。
【図７】図７は、実施例２の無線送信装置の構成例を示すブロック図である。
【図８】図８は、実施例２の無線送信装置の動作の説明に供する図である。
【図９】図９は、実施例２の無線送信装置の動作の説明に供する図である。
【図１０】図１０は、実施例２の無線送信装置の処理の説明に供する図である。
【発明を実施するための形態】
【００１４】
以下に、本願の開示するピーク抑圧装置の実施例を図面に基づいて説明する。なお、この実施例により本願の開示するピーク抑圧装置が限定されるものではない。また、各実施例において同一の機能を有する構成部には同一の符号を付し、重複する説明を省略する。
【００１５】
［実施例１］
＜無線送信装置の構成＞
図３は、実施例１の無線送信装置の構成例を示すブロック図である。図３において、無線送信装置１は、ベースバンドユニット１１−１，１１−２と、遅延部１２−１，１２−２と、ピーク抑圧装置７と、乗算部１４−１，１４−２と、加算部１５と、ＤＡＣ（Digital  to  Analog  Converter；デジタル−アナログ変換器）１６とを有する。また、無線送信装置１は、アップコンバータ１７と、ＰＡ１８と、アンテナ１９とを有する。
【００１６】
ピーク抑圧装置７は、乗算部２１−１，２１−２と、エンベロープ取得部２２−１，２２−２と、加算部２３と、ピーク検出部２４と、ピーク抑圧部５とを有する。
【００１７】
ピーク抑圧部５は、抑圧量算出部２５と、抑圧量配分部２６と、インパルス応答発生部２７と、減算部１３−１，１３−２とを有する。
【００１８】
ベースバンドユニット１１−１は、入力される送信データ１に対して符号化処理及び変調処理等のベースバンド処理を行って送信ベースバンド信号Ｂ１を生成し、生成した送信ベースバンド信号Ｂ１を遅延部１２−１及び乗算部２１−１へ出力する。ベースバンドユニット１１−２は、入力される送信データ２に対して符号化処理及び変調処理等のベースバンド処理を行って送信ベースバンド信号Ｂ２を生成し、生成した送信ベースバンド信号Ｂ２を遅延部１２−２及び乗算部２１−２へ出力する。
【００１９】
ここで、送信データ１は、マルチキャリア信号のキャリア周波数ｆ１に割り当てられるデータであり、送信データ２は、マルチキャリア信号のキャリア周波数ｆ２に割り当てられるデータである。つまり、無線送信装置１では、複数の互いに異なるキャリア周波数ｆ１，ｆ２の信号を含むマルチキャリア信号を生成する。
【００２０】
図４は、実施例１のマルチキャリア信号の一例を示す図である。図４に示すように、マルチキャリア信号は、例えば、周波数ｆ１のキャリアｆ１と、周波数ｆ２のキャリアｆ２との２つのキャリアを有する。キャリアｆ１とキャリアｆ２とはキャリア間隔Δｆで互いに隣接し、キャリアｆ１は中心周波数ｆｃからΔｆ１だけシフトした位置にあり、キャリアｆ２は中心周波数ｆｃからΔｆ２だけシフトした位置にある。
【００２１】
図３において、遅延部１２−１は、送信ベースバンド信号Ｂ１を遅延量Ｄだけ遅延させ、遅延後の送信ベースバンド信号Ｂ１を減算部１３−１へ出力する。遅延部１２−２は、送信ベースバンド信号Ｂ２を遅延量Ｄだけ遅延させ、遅延後の送信ベースバンド信号Ｂ２を減算部１３−２へ出力する。ここで、乗算部２１−１，２１−２、エンベロープ取得部２２−１，２２−２、加算部２３、ピーク検出部２４、抑圧量算出部２５、抑圧量配分部２６、及び、インパルス応答発生部２７でのトータルの処理遅延量を「Ｄ」とする。
【００２２】
減算部１３−１は、インパルス応答発生部２７から入力されるインパルス応答信号を、遅延後の送信ベースバンド信号Ｂ１から減算して送信ベースバンド信号Ｂ１に対するピーク抑圧を行い、ピーク抑圧後の送信ベースバンド信号Ｂ１’を乗算部１４−１へ出力する。減算部１３−２は、インパルス応答発生部２７から入力されるインパルス応答信号を、遅延後の送信ベースバンド信号Ｂ２から減算して送信ベースバンド信号Ｂ２に対するピーク抑圧を行い、ピーク抑圧後の送信ベースバンド信号Ｂ２’を乗算部１４−２へ出力する。
【００２３】
乗算部１４−１は、ピーク抑圧後の送信ベースバンド信号Ｂ１’にキャリア周波数ｆ１を乗算してピーク抑圧後のキャリア信号Ｃ１’を生成し、生成したキャリア信号Ｃ１’を加算部１５へ出力する。乗算部１４−２は、ピーク抑圧後の送信ベースバンド信号Ｂ２’にキャリア周波数ｆ２を乗算してピーク抑圧後のキャリア信号Ｃ２’を生成し、生成したキャリア信号Ｃ２’を加算部１５へ出力する。
【００２４】
加算部１５は、キャリア信号Ｃ１’とキャリア信号Ｃ２’とを加算して合成し、加算後の合成信号ＣＢをＤＡＣ１６へ出力する。よって、加算部１５から出力される合成信号ＣＢは、キャリア周波数ｆ１のキャリア信号Ｃ１のピークが抑圧された信号と、キャリア周波数ｆ２のキャリア信号Ｃ２のピークが抑圧された信号とが合成されたマルチキャリア信号となる。つまり、加算部１５から出力される合成信号ＣＢは、ピーク抑圧が為されたマルチキャリア信号となる。
【００２５】
ＤＡＣ１６は、ピーク抑圧後のマルチキャリア信号をデジタル信号からアナログ信号に変換してアップコンバータ１７へ出力する。
【００２６】
アップコンバータ１７は、アナログのマルチキャリア信号をアップコンバートし、アップコンバート後のマルチキャリア信号をＰＡ１８へ出力する。
【００２７】
ＰＡ１８は、アップコンバート後のマルチキャリア信号の電力を増幅し、電力増幅後のマルチキャリア信号をアンテナ１９へ出力する。
【００２８】
アンテナ１９は、電力増幅後のマルチキャリア信号を無線送信する。
【００２９】
乗算部２１−１は、送信ベースバンド信号Ｂ１にキャリア周波数ｆ１を乗算して周波数ｆ１のキャリア信号Ｃ１を生成し、生成したキャリア信号Ｃ１をエンベロープ取得部２２−１及びインパルス応答発生部２７へ出力する。乗算部２１−２は、送信ベースバンド信号Ｂ２にキャリア周波数ｆ２を乗算して周波数ｆ２のキャリア信号Ｃ２を生成し、生成したキャリア信号Ｃ２をエンベロープ取得部２２−２及びインパルス応答発生部２７へ出力する。
【００３０】
エンベロープ取得部２２−１，２２−２はそれぞれ、キャリア信号の振幅波形を表す信号、つまり、キャリア信号のエンベロープを取得する。すなわち、エンベロープ取得部２２−１は、キャリア信号Ｃ１のエンベロープＥＮ１を取得し、取得したエンベロープＥＮ１を加算部２３へ出力する。エンベロープ取得部２２−２は、キャリア信号Ｃ２のエンベロープＥＮ２を取得し、取得したエンベロープＥＮ２を加算部２３へ出力する。
【００３１】
加算部２３は、エンベロープＥＮ１とエンベロープＥＮ２とを加算して合成し、加算後の合成エンベロープＥＮ０をピーク検出部２４へ出力する。
【００３２】
ピーク検出部２４は、合成エンベロープＥＮ０をマルチキャリア信号のピークの検出用の信号（以下では「ピーク検出用信号」と呼ぶことがある）として用いてマルチキャリア信号のピーク値及びピークタイミングを検出する。ピーク検出部２４は、検出したピーク値を抑圧量算出部２５へ出力し、検出したピークタイミングをインパルス応答発生部２７へ出力する。
【００３３】
ピーク抑圧部５は、ピーク検出部２４から入力されたピーク値及びピークタイミングに基づいて、マルチキャリア信号のピークを以下のようにして抑圧する。
【００３４】
すなわち、抑圧量算出部２５は、ピーク値と目標値との差分をマルチキャリア信号のピークに対する抑圧量ＳＵ０として算出し、算出した抑圧量ＳＵ０を抑圧量配分部２６へ出力する。
【００３５】
抑圧量配分部２６は、抑圧量算出部２５で算出された抑圧量ＳＵ０の２分の１の値を、キャリア信号Ｃ１に対する抑圧量ＳＵ１、及び、キャリア信号Ｃ２に対する抑圧量ＳＵ２として算出し、算出した抑圧量ＳＵ１，ＳＵ２をインパルス応答発生部２７へ出力する。つまり、抑圧量配分部２６は、キャリア信号Ｃ１とキャリア信号Ｃ２とに対し、抑圧量ＳＵ０の２分の１の抑圧量をそれぞれ均等に配分する。
【００３６】
インパルス応答発生部２７は、抑圧量配分部２６から入力された抑圧量ＳＵ１に等しい最大振幅を有するインパルス応答信号ＩＭ１を、ピーク検出部２４から入力されたピークタイミングで発生して減算部１３−１へ出力する。また、インパルス応答発生部２７は、抑圧量配分部２６から入力された抑圧量ＳＵ２に等しい最大振幅を有するインパルス応答信号ＩＭ２を、ピーク検出部２４から入力されたピークタイミングで発生して減算部１３−２へ出力する。つまり、インパルス応答発生部２７は、ピーク値と目標値との差分の２分の１の値を最大振幅として有するインパルス応答信号ＩＭ１，ＩＭ２を、ピークタイミングに合わせて、抑圧信号として減算部１３−１，１３−２のそれぞれへ出力する。またこの際、インパルス応答発生部２７は、インパルス応答信号ＩＭ１の位相をキャリア信号Ｃ１の位相に合わせ、インパルス応答信号ＩＭ２の位相をキャリア信号Ｃ２の位相に合わせる。
【００３７】
そして、上記のように、減算部１３−１は、インパルス応答発生部２７から入力されるインパルス応答信号ＩＭ１を、遅延後の送信ベースバンド信号Ｂ１から減算して送信ベースバンド信号Ｂ１に対するピーク抑圧を行う。また、減算部１３−２は、インパルス応答発生部２７から入力されるインパルス応答信号ＩＭ２を、遅延後の送信ベースバンド信号Ｂ２から減算して送信ベースバンド信号Ｂ２に対するピーク抑圧を行う。
【００３８】
＜無線送信装置の動作＞
図５は、実施例１の無線送信装置の動作の説明に供する図である。
【００３９】
エンベロープ取得部２２−１は、乗算部２１−１から入力されるキャリア信号Ｃ１のエンベロープＥＮ１を取得する。
【００４０】
エンベロープ取得部２２−２は、乗算部２１−２から入力されるキャリア信号Ｃ２のエンベロープＥＮ２を取得する。
【００４１】
加算部２３は、エンベロープＥＮ１とエンベロープＥＮ２とを加算した合成エンベロープＥＮ０を生成する。
【００４２】
ピーク検出部２４は、合成エンベロープＥＮ０をピーク検出用信号として用い、合成エンベロープＥＮ０において目標値ＴＧを超えるピークＰ１，Ｐ２と、ピークＰ１のピークタイミングｔ１と、ピークＰ２のピークタイミングｔ２とを検出する。また、ピーク検出部２４は、ピークＰ１のピーク値Ａ１と、ピークＰ２のピーク値Ａ２とを検出する。
【００４３】
抑圧量算出部２５は、「Ａ１−ＴＧ」をピークタイミングｔ１における抑圧量ＳＵ０−１として算出する。また、抑圧量算出部２５は、「Ａ２−ＴＧ」をピークタイミングｔ２における抑圧量ＳＵ０−２として算出する。
【００４４】
抑圧量配分部２６は、「（Ａ１−ＴＧ）／２」をピークタイミングｔ１における抑圧量ＳＵ１−１，ＳＵ２−１として算出する。また、抑圧量配分部２６は、「（Ａ２−ＴＧ）／２」をピークタイミングｔ２における抑圧量ＳＵ１−２，ＳＵ２−２として算出する。
【００４５】
インパルス応答発生部２７は、ピークタイミングｔ１で、ＳＵ１−１，ＳＵ２−１をそれぞれ最大振幅として有するインパルス応答信号ＩＭ１−１，ＩＭ２−１を発生する。そして、インパルス応答発生部２７は、ピークタイミングｔ１で、インパルス応答信号ＩＭ１−１を減算部１３−１へ出力し、インパルス応答信号ＩＭ２−１を減算部１３−２へ出力する。
【００４６】
また、インパルス応答発生部２７は、ピークタイミングｔ２で、ＳＵ１−２，ＳＵ２−２をそれぞれ最大振幅として有するインパルス応答信号ＩＭ１−２，ＩＭ２−２を発生する。そして、インパルス応答発生部２７は、ピークタイミングｔ２で、インパルス応答信号ＩＭ１−２を減算部１３−１へ出力し、インパルス応答信号ＩＭ２−２を減算部１３−２へ出力する。
【００４７】
よって、ピークタイミングｔ１に合わせて、減算部１３−１では送信ベースバンド信号Ｂ１からインパルス応答信号ＩＭ１−１が減算されるとともに、減算部１３−２では送信ベースバンド信号Ｂ２からインパルス応答信号ＩＭ２−１が減算される。ピークタイミングｔ１におけるインパルス応答信号ＩＭ１−１，ＩＭ２−１の最大振幅は共に「（Ａ１−ＴＧ）／２」である。
【００４８】
同様に、ピークタイミングｔ２に合わせて、減算部１３−１では送信ベースバンド信号Ｂ１からインパルス応答信号ＩＭ１−２が減算されるとともに、減算部１３−２では送信ベースバンド信号Ｂ２からインパルス応答信号ＩＭ２−２が減算される。ピークタイミングｔ２におけるインパルス応答信号ＩＭ１−２，ＩＭ２−２の最大振幅は共に「（Ａ２−ＴＧ）／２」である。
【００４９】
よって、ピークＰ１及びピークＰ２のそれぞれは、目標値ＴＧまで抑圧される。つまり、加算部１５から出力される信号は、ピークが抑圧されたマルチキャリア信号となる。
【００５０】
ここで、例えば、周波数ｆ１のキャリアｆ１に対応する送信ベースバンド信号Ｂ１を「ｘ（ｔ）」、周波数ｆ２のキャリアｆ２に対応する送信ベースバンド信号Ｂ２を「ｙ（ｔ）」と表記する。
【００５１】
キャリア信号Ｃ１とキャリア信号Ｃ２とをそのまま加算した合成信号、つまり、周波数シフトの成分が残ったままの合成信号は式（１）によって表される。式（１）によって表される合成信号は、図２に示すマルチキャリア信号に相当する。つまり、式（１）によって表される合成信号は、周波数シフトの成分が残ったままとなるので、時間軸方向での細かな振幅変動が激しい信号となる。そして、従来は、式（１）によって表される合成信号をピーク検出用信号として用いていた。
【数１】
2016082549.tif 000003
【００５２】
これに対し、キャリア信号Ｃ１のエンベロープＥＮ１と、キャリア信号Ｃ２のエンベロープＥＮ２とを加算した合成エンベロープは式（２）によって表される。式（２）によって表される合成エンベロープは、図５に示す合成エンベロープＥＮ０に相当する。つまり、式（２）によって表される合成エンベロープは、式（１）によって表される合成信号よりも、時間軸方向での振幅変動が緩やかな信号となる。そして、実施例１では、式（２）によって表される合成エンベロープをピーク検出用信号として用いている。
【数２】
2016082549.tif 000004
【００５３】
＜無線送信装置の処理＞
図６は、実施例１の無線送信装置の処理の説明に供する図である。図６では、各信号がベクトル表示されている。
【００５４】
まず、加算部２３によって、キャリア信号Ｃ１のエンベロープＥＮ１と、キャリア信号Ｃ２のエンベロープＥＮ２とが合成されて、合成エンベロープＥＮ０が得られる。
【００５５】
次いで、抑圧量算出部２５によって、合成エンベロープＥＮ０の複数のピーク値のうち目標値ＴＧより大きいピーク値と、目標値ＴＧとの差分が抑圧量ＳＵ０として算出される。
【００５６】
次いで、抑圧量配分部２６によって、抑圧量ＳＵ０が、キャリア信号Ｃ１とキャリア信号Ｃ２とに２分の１ずつ均等に配分される。
【００５７】
次いで、インパルス応答発生部２７によって、抑圧量ＳＵ１，ＳＵ２にそれぞれ等しい最大振幅を有するインパルス応答信号ＩＭ１，ＩＭ２が減算部１３−１，１３−２へ出力される。よって、乗算部１４−１から出力されるキャリア信号Ｃ１’は、キャリア信号Ｃ１の振幅が抑圧量ＳＵ１だけ抑圧された信号となる。同様に、乗算部１４−２から出力されるキャリア信号Ｃ２’は、キャリア信号Ｃ２の振幅が抑圧量ＳＵ２だけ抑圧された信号となる。
【００５８】
そして、加算部１５によって、キャリア信号Ｃ１’とキャリア信号Ｃ２’とが合成されて、合成信号ＣＢが得られる。よって、加算部１５で得られる合成信号ＣＢは、ピーク抑圧が為されたマルチキャリア信号となる。
【００５９】
以上のように、実施例１によれば、ピーク抑圧装置７は、エンベロープ取得部２２−１，２２−２と、加算部２３と、ピーク検出部２４と、ピーク抑圧部５とを有する。エンベロープ取得部２２−１，２２−２は、マルチキャリア信号に含まれるキャリア信号Ｃ１，Ｃ２それぞれのエンベロープＥＮ１，ＥＮ２を取得する。加算部２３は、エンベロープＥＮ１，ＥＮ２を加算して合成エンベロープＥＮ０を生成する。ピーク検出部２４は、合成エンベロープＥＮ０を用いてマルチキャリア信号のピーク値及びピークタイミングを検出する。ピーク抑圧部５は、検出されたピーク値及びピークタイミングに基づいて、マルチキャリア信号のピークを抑圧する。
【００６０】
つまり、実施例１によれば、まず、各キャリア信号Ｃ１，Ｃ２のエンベロープＥＮ１，ＥＮ２を取得し、次に、エンベロープＥＮ１，ＥＮ２を加算して合成エンベロープＥＮ０を求める。こうすることで、合成エンベロープＥＮ０は、図２に示すようなマルチキャリア信号の各ピーク点を順に繋いだ波形になるため、ピーク検出用信号のピークの数を減少させることができる。このため、図２に示すように、マルチキャリア信号において目標値を超えるピークが短時間の範囲に複数個存在する場合でも、これらの複数個のピークを図５に示すようなピークＰ１またはピークＰ２の１つのピークとして扱うことができる。このため、マルチキャリア信号において目標値を超えるピークが短時間の範囲に複数個存在する場合でも、その短時間の範囲における最適な１つのピークタイミングを検出することができる。これにより、マルチキャリア信号の様々な振幅パターンに合わせて、目標値を超える複数のピークに対応する複数のピークタイミングの中から、インパルス応答信号を加える最適な１つのピークタイミングを決定することができる。よって、実施例１によれば、インパルス応答信号を加える最適なタイミングを決定する処理が簡易になるため、無線送信装置の回路規模を削減することができる。
【００６１】
［実施例２］
図５に示すように、キャリア信号Ｃ１，Ｃ２の振幅は、それぞれ独立に時々刻々と変化するため、ピークタイミングにおいて両者の振幅値が同一であるとは限らない。よって、実施例１のようにして、抑圧量が各キャリア信号に均等に配分されたのでは、振幅が小さいキャリア信号に対する抑圧が過度になってしまい、振幅が小さいキャリア信号のＥＶＭ（Error  Vector  Magnitude）が低下してしまうことがある。そこで、実施例２では、各キャリア信号の振幅の大きさに応じて、各キャリア信号に抑圧量を配分する。
【００６２】
＜無線送信装置の構成＞
図７は、実施例２の無線送信装置の構成例を示すブロック図である。図７において、無線送信装置２は、ピーク抑圧装置７を有する。ピーク抑圧装置７は、ピーク抑圧部５を有する。ピーク抑圧部５は、抑圧量算出部２５と、抑圧量配分部２８と、インパルス応答発生部２７と、減算部１３−１，１３−２とを有する。つまり、無線送信装置２は、実施例１の無線送信装置１（図３）における抑圧量配分部２６に代えて、抑圧量配分部２８を有する。
【００６３】
エンベロープ取得部２２−１は、キャリア信号Ｃ１のエンベロープＥＮ１を取得し、取得したエンベロープＥＮ１を加算部２３及び抑圧量配分部２８へ出力する。エンベロープ取得部２２−２は、キャリア信号Ｃ２のエンベロープＥＮ２を取得し、取得したエンベロープＥＮ２を加算部２３及び抑圧量配分部２８へ出力する。
【００６４】
ピーク検出部２４は、合成エンベロープＥＮ０をピーク検出用信号として用いてマルチキャリア信号のピーク値及びピークタイミングを検出する。ピーク検出部２４は、検出したピーク値を抑圧量算出部２５へ出力し、検出したピークタイミングをインパルス応答発生部２７及び抑圧量配分部２８へ出力する。
【００６５】
抑圧量算出部２５は、ピーク値と目標値との差分をマルチキャリア信号のピークに対する抑圧量ＳＵ０として算出し、算出した抑圧量ＳＵ０を抑圧量配分部２８へ出力する。
【００６６】
抑圧量配分部２８は、ピーク検出部２４で検出されたピークタイミングでの、エンベロープＥＮ１の振幅値ＡＥＮ１と、エンベロープＥＮ２の振幅値ＡＥＮ２とをそれぞれ取得する。そして、抑圧量算出部２５は、例えば、式（３），（４）に従って、キャリア信号Ｃ１に対する抑圧量ＳＵ１、及び、キャリア信号Ｃ２に対する抑圧量ＳＵ２を算出する。抑圧量配分部２８は、算出した抑圧量ＳＵ１，ＳＵ２をインパルス応答発生部２７へ出力する。式（３），（４）において、「Ｐ」はピーク検出部２４で検出されたピーク値であり、「ＴＧ」は目標値である。
ＳＵ１＝（Ｐ−ＴＧ）×（ＡＥＮ１／（ＡＥＮ１＋ＡＥＮ２））  …（３）
ＳＵ２＝（Ｐ−ＴＧ）×（ＡＥＮ２／（ＡＥＮ１＋ＡＥＮ２））  …（４）
【００６７】
つまり、抑圧量配分部２８は、キャリア信号Ｃ１に対しては、振幅値ＡＥＮ１に比例した抑圧量ＳＵ１を配分し、キャリア信号Ｃ２に対しては、振幅値ＡＥＮ２に比例した抑圧量ＳＵ２を配分する。よって、ピーク抑圧部５では、エンベロープＥＮ１，ＥＮ２のそれぞれにおける振幅値ＡＥＮ１，ＡＥＮ２に比例した抑圧量ＳＵ１，ＳＵ２でキャリア信号Ｃ１，Ｃ２のそれぞれが抑圧される。
【００６８】
＜無線送信装置の動作＞
図８及び図９は、実施例２の無線送信装置の動作の説明に供する図である。図８，９に示すように、実施例２では、キャリア信号Ｃ１，Ｃ２をそれぞれ抑圧する抑圧信号ＩＭ１，ＩＭ２の電力の大きさが、キャリア信号Ｃ１，Ｃ２それぞれの電力の大きさに応じて変化する。つまり、振幅がより小さいキャリア信号ほど、より小さな抑圧量で抑圧される。
【００６９】
＜無線送信装置の処理＞
図１０は、実施例２の無線送信装置の処理の説明に供する図である。図１０では、各信号がベクトル表示されている。以下、実施例１（図６）の処理と同一の処理についての説明は省略する。
【００７０】
抑圧量配分部２８によって、抑圧量ＳＵ０が、キャリア信号Ｃ１とキャリア信号Ｃ２とに配分される。例えば、キャリア信号Ｃ１に対する抑圧量ＳＵ１は式（３）によって算出され、キャリア信号Ｃ２に対する抑圧量ＳＵ２は式（４）によって算出される。図１０には、キャリア信号Ｃ２の振幅が、キャリア信号Ｃ１の振幅よりも小さい場合を示す。
【００７１】
以上のように、実施例２によれば、ピーク抑圧部５は、エンベロープＥＮ１，ＥＮ２のそれぞれにおける振幅値ＡＥＮ１，ＡＥＮ２に比例した抑圧量ＳＵ１，ＳＵ２でキャリア信号Ｃ１，Ｃ２をそれぞれ抑圧してマルチキャリア信号のピークを抑圧する。
【００７２】
こうすることで、ピーク抑圧に起因するＥＶＭの低下を防ぐことができる。
【００７３】
なお、式（３），（４）で用いる振幅値は、瞬時値でもよいし、所定時間あたりの平均値でもよい。
【００７４】
以上、実施例１，２について説明した。
【００７５】
［他の実施例］
［１］インパルス応答発生部２７は、インパルス応答信号を直接発生してもよいし、発生したインパルス信号を帯域制限フィルタを用いて帯域制限した信号をインパルス応答信号としてもよい。
【００７６】
［２］ピーク抑圧装置７は、ハードウェアとして、例えば、ＦＰＧＡ（Field  Programmable  Gate  Array）、ＬＳＩ（Large  Scale  Integrated  circuit）またはプロセッサ等により実現される。プロセッサの一例として、ＣＰＵ（Central  Processing  Unit），ＤＳＰ（Digital  Signal  Processor）等が挙げられる。また、ピーク抑圧装置７は、メモリを有してもよい。
【符号の説明】
【００７７】
１，２  無線送信装置
５  ピーク抑圧部
７  ピーク抑圧装置
１１−１，１１−２  ベースバンドユニット
１２−１，１２−２  遅延部
１３−１，１３−２  減算部
１４−１，１４−２，２１−１，２１−２  乗算部
１５，２３  加算部
１６  ＤＡＣ
１７  アップコンバータ
１８  ＰＡ
１９  アンテナ
２２−１，２２−２  エンベロープ取得部
２４  ピーク検出部
２５  抑圧量算出部
２６，２８  抑圧量配分部
２７  インパルス応答発生部
【図１】
2016082549.tif 000005
【図２】
2016082549.tif 000006
【図３】
2016082549.tif 000007
【図４】
2016082549.tif 000008
【図５】
2016082549.tif 000009
【図６】
2016082549.tif 000010
【図７】
2016082549.tif 000011
【図８】
2016082549.tif 000012
【図９】
2016082549.tif 000013
【図１０】
2016082549.tif 000014